(57)【要約】      （修正有）【課題】片手でバランスよく吊り下げた状態で持ち運びすることができる正面開口部を有する、特に鉢植えの花卉類等の展示、運搬に適したキャリーケースを提供する。【解決手段】天面に手掛孔を有する積層構造の手掛把持部を有し、閉鎖底面側に鉢差込孔を有する載置台Ｃを嵌め込む載置台収容部９を有しており、該載置台収容部から上方の正面が大きな正面開口部である縦長矩形ケースＢの載置台収容部に、鉢植え花卉の鉢の差込孔１６を有する載置台Ｃを嵌め込んでなるキャリーケース。前記天面の手掛把持部は、両側面板の天面内フラップ３ａ，４ａを天面に折り曲げ、前記背面板２の天面外フラップ６の背面側フラップ部６ｂを両天面内フラップ上に折り重ね、その中央部の折線から先端側フラップ部６ａを両天面内フラップを間に挟み込んだ状態で折畳んで形成される積層構造の手掛把持部である。【選択図】図３
2013166559.tif 000002
【特許請求の範囲】
【請求項１】
天面が手掛孔を有する手掛把持部からなり、閉鎖底面側に載置台を収容した載置台収容部を有し、該載置台収容部から上方の正面部分が正面開口部である矩形状のキャリーケースであって、
前記手掛把持部は、正面開口部側の側縁部が前記載置台収容部の上端部から天面側の上端部まで側面板の幅を徐々に狭めるように傾斜している形状の両側面板の上端に延設されている天面内フラップを、背面板の上端に延設されていて、中央部の折線によって背面板側フラップ部と先端側フラップ部とに２分されている天面外フラップによって挟み込んで折重ねた積層構造を有し、天面外フラップ及び両天面内フラップのそれぞれに形成されている切欠部により前記手掛孔が形成されていることを特徴とする、キャリーケース。
【請求項２】
前記載置台収容部が、該載置台収容部を形成している正面板部分の上端に延設している載置台固定板を有することを特徴とする、請求項１に記載のキャリーケース。
【請求項３】
前記背面板の天面外フラップの先端側フラップ部の先端部に差込凸部が形成され、該差込凸部が当接する背面板の箇所に形成されている差込孔に差込係合されて前記手掛把持部が固定されていることを特徴とする、請求項１又は２に記載のキャリーケース。
【請求項４】
前記手掛把持部の手掛孔は、前記天面外フラップの前記背面板側フラップ部に形成されている手掛孔用の切欠部部分に、天面外フラップの前記中央部の折線側の部分を非切断部として残した切断線により形成されている折曲片よりなる保護片を有していて、該非切断部から保護片を内側に折り曲げて先端側フラップ部の切欠部の切断縁を覆うことにより手指を保護する手掛孔であることを特徴とする、請求項１〜３のいずれか１項に記載のキャリーケース。
【請求項５】
前記載置台が、中央部に鉢植え花卉の鉢部分を差込固定する円形状の鉢差込孔を有する矩形の上面板と、その四辺に折線を介して延設されている側面板とよりなることを特徴とする、請求項１〜４のいずれか１項に記載のキャリーケース。
【発明の詳細な説明】
【技術分野】
【０００１】
本発明は、商品を収容した状態で保管、展示及び運搬に用いられるキャリーケースであって、鉢植えの花卉用に特に好適な段ボール製の組み立て式キャリーケースに関する。
【背景技術】
【０００２】
鉢植えの花卉類等の商品を窓開きの段ボール箱内に収容し固定した状態で運搬することが行われており、商品の種類に応じて種々の形状のものが提案され、実用化もされている。鉢植えの花卉類の場合、たとえば、鉢を固定できる載置部を有する矩形ケース基体部に、該矩形ケース基体部の係止部に係止される被係止部を有していて、正面には収容鉢植えを確認できる窓が形成されている縦長の矩形ケースカバー部を上方より脱離可能に冠着し、相対する側壁面における該係止部の近傍に形成している持ち運び用の手掛孔に両手指を差込んで持ち上げて抱きかかえて運搬する鉢植え運搬用段ボールケース（特許文献１）が提案されている。
【０００３】
また、縦長矩形状の段ボール箱に収容されている鉢植え花卉類を損傷させることなく簡単に取り出すことができるようにするために、段ボール箱の正面板の両側縁の相対する側壁に断続切目を設けて収容鉢植え花卉類を取り出す際には、該正面板を天面側から引き裂いて正面を開封する形式の段ボール箱であって、その両側面板に設けた手掛孔に両手指を差し込んで持ち上げて運搬する段ボール箱（特許文献２）も提案されている。
【先行技術文献】
【特許文献】
【０００４】
【特許文献１】実用新案登録第３１０００５０号公報
【特許文献２】特開２００２−３６２５４５号公報
【発明の概要】
【発明が解決しようとする課題】
【０００５】
ところで、上記特許文献１，２においては、持ち運びのための手掛け孔（持ち運び用孔）はいずれも容器の相対する側面に一対で設けられているため持ち運びには両手が必要である。これは、鉢植えの花卉類等、重量が比較的に大きくなる商品を持ち歩くのに好適な形状であるが、その一方で、片手で簡便に持ち運べるキャリーケースが求められていた。
本発明は、上記のような商品、特に鉢植えの植物を収容した状態で保管、展示及び運搬するのに適した段ボール製の組み立て式キャリーケースであって、縦長矩形状の段ボール箱の天面を開放した状態で鉢植え花卉類等の商品を収容して底部に固定する作業時には商品を損傷させることなく容易に行うことでき、天面閉鎖後は、収容商品の内容、状態を大きな開口を有する正面からよく観察できるような状態で積み重ねて展示し販売することができ、さらに、購入者が片手でバランスよく吊り下げた状態で持ち運びすることができるキャリーケースを提供することを目的とするものである。
【課題を解決するための手段】
【０００６】
上記課題を解決することができる本発明のキャリーケースは、底部に鉢植え植物の鉢部分等を差込固定する載置台収容部を有する縦長矩形ケースの正面が、載置台収容部の上端縁から天面までの間が正面板部分のない正面開口部とされており、天面は、背面板の上端に折線を介して延設されている天面外フラップを、相対する両側面板の上端に延設されている天面内フラップを間に挟んで内側に折り畳んで積層構造の天面板部分を形成し、その中央部に該積層構造の天面板部分を貫通して手掛孔が形成されている、片手で吊り下げて持ち運びできる手掛把持部とされていることを特徴とする。
【０００７】
（１）天面が手掛孔（１０）を有する手掛把持部（８）からなり、閉鎖底面（１３）側に載置台（Ｃ）を収容した載置台収容部（９）を有し、該載置台収容部（９）から上方の正面部分が正面開口部（Ｅ）である矩形状のキャリーケースであって、
前記手掛把持部（８）は、正面開口部（Ｅ）側の側縁部が前記載置台収容部（９）の上端部から天面側の上端部まで側面板の幅を徐々に狭めるように傾斜している形状の両側面板（３，４）の上端に延設されている天面内フラップ（３ａ，４ａ）を、背面板（２）の上端に延設されていて、中央部の折線（Ｌ７）によって背面板側フラップ部（６ｂ）と先端側フラップ部（６ａ）とに２分されている天面外フラップ（６）によって挟み込んで折重ねた積層構造を有し、天面外フラップ及び両天面内フラップのそれぞれに形成されている切欠部（３ｃ、４ｃ、１０ａ、１０ｂ）により前記手掛孔（１０）が形成されていることを特徴とする、キャリーケース。
【０００８】
（２）前記載置台収容部（９）が、該載置台収容部を形成している正面板（１）部分の上端に延設している載置台固定板（７）を有することを特徴とする、（１）項に記載のキャリーケース。
【０００９】
（３）前記背面板（２）の天面外フラップ（６）の先端側フラップ部（６ａ）の先端部に差込凸部（６ｃ）が形成され、該差込凸部（６ｃ）が当接する背面板（２）の箇所に形成されている差込孔（２ｃ）に差込係合されて前記手掛把持部（８）が固定されていることを特徴とする、（１）項又は（２）項に記載のキャリーケース。
【００１０】
（４）前記正面板（１）の上端に延設されている載置台固定板（７）の先端部に差込凸部（７ｂ）が形成されていて、該差込凸部（７ｂ）が当接する背面板（２）の箇所に形成されている差込孔（２ｄ）に該差込凸部（７ｂ）が差込係合されていることを特徴とする、（１）項〜（３）項のいずれか１項に記載のキャリーケース。
【００１１】
（５）前記手掛把持部（８）の手掛孔（１０）は、前記天面外フラップ（６）の前記背面板側フラップ部（６ｂ）に形成されている手掛孔用の切欠部（１０ｂ）部分に、天面外フラップ（６）の前記中央部の折線（Ｌ７）側の部分を非切断部（１９）として残した切断線（２０）により形成されている折曲片よりなる保護片（１１）を有していて、該非切断部（１９）から保護片（１１）を内側に折り曲げて先端側フラップ部（６ａ）の切欠部（１０ａ）の切断縁を覆うことにより手指を保護する手掛孔（１０）であることを特徴とする、（１）項〜（４）項のいずれか１項に記載のキャリーケース。
【００１２】
（６）前記載置台（Ｃ）が、中央部に鉢植え花卉の鉢（Ｄ）部分を差込固定する円形状の鉢差込孔（１６）を有する矩形の上面板（１４）と、その四辺に折線（Ｌ１４）を介して延設されている側面板（１５）とよりなることを特徴とする、（１）項〜（５）項のいずれか１項に記載のキャリーケース。
【００１３】
（７）前記載置台（Ｃ）における円形状の鉢差込孔（１６）が、前記上面板（１４）の中心部に形成されている円形状の切欠部の周縁から外方に放射状に延びて形成されている切断部によって分割されている楔状片からなる鉢押え片（１７）を有することを特徴とする（１）項〜（６）項のいずれか１項に記載のキャリーケース。
【００１４】
（８）前記閉鎖底面（１３）の閉鎖構造が、４枚ロックボトム構造（地獄折乃至アメリカンロック構造）であることを特徴とする（１）項〜（７）項のいずれか１項に記載のキャリーケース。
【発明の効果】
【００１５】
本発明のキャリーケースは、天面の手掛把持部を構成する内外フラップを展開した状態で、底部の載置台収容部に嵌め込み収容されている載置台の鉢差込孔に鉢植えの花卉等を損傷させることなく容易に収容固定することできる。また、天面に手掛把持部を形成した後は、収容された鉢植えの花卉等の商品の種類や状態を大きな開口を有する正面からよく観察できるような状態で積み重ねて展示し販売することができるし、手掛把持部が天面に形成されているので、収容商品がよく見える状態で片手のみで吊り下げて持ち運びすることができる。さらに、両側面板が、底部側の幅が大きく、天面の手掛け把持部側の幅が小さい形状であるので片手で吊り下げて持ち運んだ場合、重心が中央部にくるので安定した状態で持ち歩き可能である。
【図面の簡単な説明】
【００１６】
【図１】本発明のキャリーケースを構成する矩形ケース部分の展開図である。
【図２】本発明のキャリーケースにおいて、矩形ケース部分に嵌め込み収容される載置台部分の展開図である。
【図３】図１の展開図に示されるブランクシートから矩形ケース部分を組み立てる途中状態と矩形ケース部分の載置台収容部に嵌め込み収容される載置台の状態を示す図である。
【図４】図１のブランクシートから組み立てて矩形ケース部分の胴部を形成した状態を示す図である。
【図５】組み立て終えたキャリーケースの底面閉鎖状態を示す図である。
【図６】キャリーケースを持ち運ぶ状態を示す図である。
【発明を実施するための形態】
【００１７】
添付図面を参照して本発明のキャリーケースＡの内容を、鉢植えの花卉類を収容する場合を例に具体的に説明する。
本発明のキャリーケースＡは、図１に示すブランクシートから組み立てられる図３の縦長の矩形ケースＢ内に、図２に示すブランクシートから組み立てられる図３の載置台Ｃを嵌め込み収容して構成される。
【００１８】
図１の展開図に示すように、縦長の矩形ケースＢは、側面板３−正面板１−側面板４−背面板２−糊代部５の順にそれぞれが折線Ｌ１〜Ｌ４を介して連設されている。
矩形ケースＢの正面板１は、載置台収容部９を形成している正面板部分１ａと該正面板部分１ａに折線Ｌ５を介して延設されている載置台固定板７よりなり、載置台固定板７には鉢挿入切欠部７ａが形成され、該切欠部７ａの両側の載置台固定板７の両先端には、該載置台固定板７を載置台収容部６内に収容されている載置台Ｃの上面に折り重ねた状態でその先端が当接する背面板２の箇所に形成されている差込孔７ｂに差込係合するための差込凸部７ｂが形成されている。正面板１は、その載置台固定板７を載置台固定板Ｃの上面に折り重ねた状態では、その上端は前記折線Ｌ５の部分であり、それより上方の縦長矩形ケースＢの正面部分は正面板１が存在しない正面開口部Ｅである。
正面板１の下端には折線Ｌ１１を介して底面外フラップ１ｂが延設されている。
【００１９】
正面板１の両側縁に折線Ｌ１，Ｌ２を介して連設されている両側面板３，４のそれぞれの上端には、手掛孔用切欠部３ｃ、４ｃが形成されている天面内フラップ３ａ，４ａが折線Ｌ８，Ｌ９を介して延設されており、それぞれの下端には折線Ｌ１０、Ｌ１２を介して底面内フラップ３ｂ，４ｂが延設されている。
そして、両側面板３，４は、正面板１の上端となる前記折線Ｌ５の箇所から天面方向にそれぞれの幅が徐々に狭まるように傾斜している側縁部１２を有しており、それぞれの上端に折線Ｌ８，Ｌ９を介して延設されている前記天面内フラップ３ａ，４ａは最も幅が狭くなっている両側面板の上端と同一幅の内フラップとして形成されている。
【００２０】
背面板２の上端には、折線Ｌ６を介して天面外フラップ６が延設されており、該天面外フラップ６は、中央部における折線Ｌ７から内側に折畳まれた際に外面側となる背面板側フラップ部６ｂと内面側となる先端側フラップ部６ａとを有している。そして、背面板側フラップ部６ｂと先端側フラップ部６ａは折線Ｌ７から先端側フラップ部６ａを内側に折り畳んで重ね合わせた状態で双方の中央部の箇所に手掛孔１０用の切欠部１０ａ，１０ｂが形成されており、先端側フラップ部６ａの先端には、組み立てられた際に該先端が当接する背面板の箇所に形成されている２箇所の差込孔２ｃに差し込み係合させる差込凸部６ｃが形成されている。また、背面板２の下端には、底面外フラップ１ｂ、２ｂが折線Ｌ１０、Ｌ１３を介して延設されている。
【００２１】
図１に示すブランクシートから組み立てられる矩形ケースＢの載置台収容部９に嵌め込まれて使用される載置台Ｃは、図２に示すブランクシートから組み立てられる。
図２に示すように、載置台Ｃは、中央部に矩形の上面板１４とその四辺に折線Ｌ１４を介して延設されている側面板１５とよりなり、上面板１４の中央部には、鉢植え花卉の鉢部分を差込固定する鉢差込孔１６が形成されている。鉢差込孔１６は、上面板１４の中心部の円形切欠部２１からその外側方向に放射状に形成されている切断線２２によって形成される楔型の切断片部分を一つおきに切除して形成される切欠部１８の部分と残される折曲片部分からなる鉢押え片１７の部分とによって構成されている。
図２には、鉢押え片１７と１７の間に楔形の切欠部１８が形成されている差込孔１６が示されているが、鉢押え片１７は、中心の円形切欠部２１から同心円状の箇所の鉢押え片の折曲部２３までの放射状切断線２２を設けるだけで形成されている楔形の切欠部１８のなく、鉢押え片１７のみを有する差込孔１６であってもよい。
【００２２】
本発明のキャリーケースＡは、まず、図１のブランクシートを折線Ｌ１〜Ｌ４において順次筒状に折り曲げて背面板２の側縁部の糊代部５と相対する側面板３の側縁部を接合して図４に示されている状態とし、次いで、両側面板３，４の下端に折線Ｌ１０，Ｌ１２を介して延設されている底面内フラップ３ｂ、４ｂを底面側に折り曲げ、その面に正面板１の下端に折線Ｌ１１を介して延設されている底面外フラップ１ｂを折り重ね、さらに背面板２の下端に折線Ｌ１３を介して延設されている底面外フラップ２ｂを折り重ね、その凸状先端部を正面板１の底面外フラップ１ｂの先端凹部から底面外フラップ１ｂの内面に差込んで図５に示す閉鎖底面を有する縦長矩形ケースＢを形成する。
又、図２のブランクシートから折線Ｌ１４において、四辺に延設されている載置台側面部１５を下方に折り曲げて図３に示す形状の底面開放の載置台Ｃを形成する。
【００２３】
次に、上記載置台Ｃを図３の縦長矩形ケースＢの載置台収容部９内に嵌め込み、載置台Ｃの上面に載置台固定板７を折り重ね、該固定板７の差込凸部７ｂを背面板２の差込孔２ｄに差し込んで載置台Ｃを固定した鉢植え花卉の鉢Ｄを固定する。
次いで、図４に示される両側面板３，４の上端に延設されている天面内フラップ３ａ，４ａを折線Ｌ８より天面側に折り曲げ、背面板２の上端に延設されている天面外フラップ６を折線Ｌ６より両天面内フラップ上に折り重ね、天面外フラップ６の中央部の折線Ｌ７から先端側フラップ部６ａを両天面中内フラップを挟み込んで背面板側フラップ部６ｂの内面側に折り重ね、該先端側フラップ部６ａの先端の差込凸部６ｃを背面板２の差込孔２ｃに差込係合して３層の積層構造を有する手掛把持部８を形成する。
【００２４】
最後に、手掛把持部８の手掛孔１０を構成している背面板側フラップ部６ｂの手掛孔用の切欠部１０ｂに形成されている保護片１１をその非切断部１９を折曲部として切断部２０側を手掛把持部８の下面側に折り曲げて先端側フラップ部６ｄの手掛孔用の切欠部１０ａの切断縁を覆った状態で安全に手掛把持できる状態とされた図５に示される手掛孔１０を形成する。
キャリーケースＡに収容する鉢植えの花卉類の背丈が低い場合は、天面の前記手掛把持部を形成した状態で鉢植えの花卉類を収容することもできる。
【００２５】
図４及び図５に、本発明のキャリーケースＡを構成する矩形ケースＢを、４枚ロックボトム（アメリカンロックボトム）を有するものとして示しているように、本発明のキャリーケースＡを構成する矩形ケースＢの底面閉鎖構造はノンステープル式の閉鎖構造であることが好ましい。しかし、図示のものに限定されるものではなく、矩形ケースＢの底面閉鎖部に求められる強度や使用材料等との関係でステープルタイプを含めた他のボトムロック方式を任意に採択することができる。
【００２６】
本発明のキャリーケースＡは、収容する鉢植えの花卉の種類に応じて段ボール、板紙、樹脂シート等の材料を任意に採択して作製することができるが、一般的には段ボールシートを使用して作製される。
【００２７】
本発明のキャリーケースＡに鉢植えの花卉類を収容して持ち運びする状態を図６に示す。図６に示すように、天面の手掛把持部８の手掛孔１０に指を差し込んで吊り下げて持ち運ぶ場合、天面の手掛把持部８の前後幅が狭いので図示するように、しっかりと天面を把持して持ち運ぶことができる。また、正面開口部が大きく、台紙収容部から天面側に傾斜した大きな開口部Ｅにより、収容花卉類がケース内に押し込められているような圧迫感がない収容状態で持ち運びできる。また、キャリーケースの底部側の幅が大きく、天面の手掛け把持部側の幅が小さい形状として、手掛け把持部がキャリーケースの重心上になるようにすることで、商品を安定して持ち運ぶことが可能となり、鉢植えの花卉類のように、重量が比較的に重くなる商品の包装に好適である。さらに、側面板側から見た形状が天面側から底部側に広がっていて安定感を与える意匠的効果も合わせ有するものである。
【符号の説明】
【００２８】
１：正面板、１ａ：正面板部分、１ｂ：底面外フラップ
２：背面板、２ｂ：底面外フラップ、２ｃ：差込孔、２ｄ：差込孔
３：側面板、３ａ：天面内フラップ、３ｂ：底面内フラップ、３ｃ：切欠部
４：側面板、４ａ：天面内フラップ、４ｂ：底面内フラップ、４ｃ：切欠部
５：糊代部
６：天面外フラップ、６ａ：先端側フラップ部、６ｂ：背面板側フラップ部、６ｃ：差込凸部
７：載置台固定板、７ａ：内容物挿入切欠部、７ｂ：差込凸部
８：手掛把持部
９：載置台収容部
１０：手掛孔、１０ａ：切欠部、１０ｂ：切欠部、
１１：保護片
１２：傾斜側縁部
１３：底部
１４：上面板
１５：側面板
１６：差込孔
１７：押え片
１８：切欠部
１９：非切断部
２０：切断部
２１：円形切欠部
２２：切断線
２３：押え片折曲部
Ｌ１〜Ｌ１４：折線
Ａ：キャリーケース
Ｂ：矩形ケース
Ｃ：載置台
Ｄ：鉢
Ｅ：前面開口部
【図１】
2013166559.tif 000003
【図２】
2013166559.tif 000004
【図３】
2013166559.tif 000005
【図４】
2013166559.tif 000006
【図５】
2013166559.tif 000007
【図６】
2013166559.tif 000008